(57)【要約】【課題】床置式及び壁掛式に容易に対応し得る男子用水洗トイレを提供する。【解決手段】水洗便器１１の底部に水平に回動可能に接続した接続パイプ４９に、Ｕ字形接続パイプ５３の一端側を水平に回動可能に接続して備え、このＵ字形接続パイプ５３の他端側に水平に回動可能に接続した第１Ｌ形パイプ５５に第２Ｌ形パイプ５７を上下に回動可能に接続して備え、この第２Ｌ形パイプ５７に水平に回動可能に接続した第３Ｌ形パイプ５９を備えた排水トラップ３５を備え、この排水トラップ３５に水平方向の排水パイプを備えている。そして、前記Ｕ字形接続パイプ５３の入口側に、当該Ｕ字形接続パイプ５３から前記接続パイプ４９に至る逆流の流量を一時的に受容するためのチャンバーを備えている。また、接続パイプ４９内を洗浄する洗浄ノズル５１を備えている。【選択図】図６
2010138548.tif 000002
【特許請求の範囲】
【請求項１】
男子用水洗トイレであって、水洗便器の底部に水平に回動可能に接続した接続パイプに、Ｕ字形の接続パイプの一端側を水平に回動可能に接続して備え、このＵ字形接続パイプの他端側に逆Ｕ字形の接続パイプを水平に回動可能に接続して備えた構成の排水トラップを備え、この排水トラップに上下方向の排水パイプを備えていることを特徴とする男子用水洗トイレ。
【請求項２】
男子用水洗トイレであって、水洗便器の底部に水平に回動可能に接続した接続パイプに、Ｕ字形接続パイプの一端側を水平に回動可能に接続して備え、このＵ字形接続パイプの他端側に水平に回動可能に接続した第１Ｌ形パイプに第２Ｌ形パイプを上下に回動可能に接続して備え、この第２Ｌ形パイプに水平に回動可能に接続した第３Ｌ形パイプを備えた排水トラップを備え、この排水トラップに水平方向の排水パイプを備えていることを特徴とする男子用水洗トイレ。
【請求項３】
請求項１又は２に記載の男子用水洗トイレにおいて、前記Ｕ字形接続パイプの入口側に、当該Ｕ字形接続パイプから前記接続パイプに至る逆流の流量を一時的に受容するためのチャンバーを備えていることを特徴とする男子用水洗トイレ。
【請求項４】
請求項１，２又は３に記載の男子用水洗トイレにおいて、前記接続パイプ内を洗浄するための洗浄ノズルを備えていることを特徴とする男子用水洗トイレ。
【請求項５】
請求項１，２，３又は４に記載の男子用水洗トイレにおいて、前記水洗便器の底部と前記接続パイプとの接続状態を保持すべく前記接続パイプを常に上方向に付勢する付勢手段を備えていることを特徴とする男子用水洗トイレ。
【発明の詳細な説明】
【技術分野】
【０００１】
本発明は男子用水洗トイレに係り、さらに詳細には、床置式の水洗トイレ及び壁掛式の水洗トイレとして容易に適用することのできる男子用水洗トイレに関する。
【背景技術】
【０００２】
男子用水洗トイレには、水洗便器の便器本体をトイレの床上に設置する床置式と、便器本体をトイレの壁に掛ける壁掛式とがある。床置式の場合には、床に形成した上下方向の排水孔と便器本体とを接続する構成であり、壁掛式の場合は、壁に形成された水平な排水孔と便器本体とを接続する構成である。
【特許文献１】特許第３８５３８２５号公報
【発明の開示】
【発明が解決しようとする課題】
【０００３】
特許文献１に記載の水洗トイレは、便器本体の排水管を底面に開口して備えた床置式である。この種の床置式の水洗トイレの前記排水管の方向性は上下方向であるから、壁掛式に適用することができないものである。すなわち、従来の男子用水洗トイレにおいて、床置式は床置専用として製造されており、また壁掛式は壁掛専用として製造されている。したがって、トイレの排水孔が床に形成してあるか壁に形成してあるかによって、水洗トイレとして床置式又は壁掛式を選択しなければならないものである。
【０００４】
よって、従来は床置式と壁掛式との２種類の水洗トイレを予め製造しなければならないという問題がある。
【課題を解決するための手段】
【０００５】
本発明は、前述のごとき問題に鑑みてなされたもので、男子用水洗トイレであって、水洗便器の底部に水平に回動可能に接続した接続パイプに、Ｕ字形の接続パイプの一端側を水平に回動可能に接続して備え、このＵ字形接続パイプの他端側に逆Ｕ字形の接続パイプを水平に回動可能に接続して備えた構成の排水トラップを備え、この排水トラップに上下方向の排水パイプを備えていることを特徴とするものである。
【０００６】
また、男子用水洗トイレであって、水洗便器の底部に水平に回動可能に接続した接続パイプに、Ｕ字形接続パイプの一端側を水平に回動可能に接続して備え、このＵ字形接続パイプの他端側に水平に回動可能に接続した第１Ｌ形パイプに第２Ｌ形パイプを上下に回動可能に接続して備え、この第２Ｌ形パイプに水平に回動可能に接続した第３Ｌ形パイプを備えた排水トラップを備え、この排水トラップに水平方向の排水パイプを備えていることを特徴とするものである。
【０００７】
また、前記男子用水洗トイレにおいて、前記Ｕ字形接続パイプの入口側に、当該Ｕ字形接続パイプから前記接続パイプに至る逆流の流量を一時的に受容するためのチャンバーを備えていることを特徴とするものである。
【０００８】
また、前記男子用水洗トイレにおいて、前記接続パイプ内を洗浄するための洗浄ノズルを備えていることを特徴とするものである。
【０００９】
また、前記男子用水洗トイレにおいて、前記水洗便器の底部と前記接続パイプとの接続状態を保持すべく前記接続パイプを常に上方向に付勢する付勢手段を備えていることを特徴とするものである。
【発明の効果】
【００１０】
本発明によれば、水洗便器の底部に接続した排水トラップに対して上下方向の排水パイプ又は水平方向の排水パイプを備えることができ、床置式又は壁掛式の水洗トイレとして容易に対応し得るものである。また、排水トラップが複数箇所において水平に回動可能であることにより、水洗便器をトイレの壁に近接した状態においても、トイレに備えられている排水孔の位置に対応して容易に排水パイプを接続することができるものである。
【発明を実施するための最良の形態】
【００１１】
図１，２を参照するに、本実施形態に係る男子用水洗トイレ１は、トイレの壁３に突設して備えたフック部５に引掛け自在な枠体フレーム７を備えている。この枠体フレーム７は、図２に詳細に示すように、前記壁３の壁面に沿うように垂直な左右の支柱フレーム７Ｌ，７Ｒを備えており、この左右の支柱フレーム７Ｌ，７Ｒの上部は、左右方向に長い引掛けフレーム７Ｆの両端部にボルトなどのごとき適宜の固定具９を介して連結されている。また、前記左右の支柱フレーム７Ｌ，７Ｒの下部は、左右方向に長い連結フレーム７Ｃによって一体的に連結してある。そして、この連結フレーム７Ｃの左右方向の中央部には、前方向（図１において左方向）に水平に突出した突出フレーム７Ｔが一体的に備えられている。
【００１２】
上述のごとき構成の枠体フレーム７において、前記引掛けフレーム７Ｆは前記フック部５に対して引掛けるものであって、左右の支柱フレーム７Ｌ，７Ｒに上下方向に適宜間隔に備えた複数の取付孔に対する取付け位置を調節することにより、左右の支柱フレーム７Ｌ，７Ｒに対して前記引掛けフレーム７Ｆは高さ位置調節可能に備えられている。したがって、左右の支柱フレーム７Ｌ，７Ｒに対する引掛けフレーム７Ｆの高さ位置を調節することにより、前記壁３に突出して備えた前記フック部５に対して枠体フレーム７の全体的な高さ位置を調節することができるものである。
【００１３】
男子用水洗トイレ１においての便器本体（水洗便器）１１は、設置時の取扱いが容易に行い得るように、樹脂製であって薄肉に形成してあり、軽量化が図られている。すなわち便器本体１１の外観形状は陶器製の一般的な便器本体に類似した形状であるものの、薄肉の板状の構成であることにより、背部及び下部には比較的大きな空間部１３が形成してある。そして、上記便器本体１１において小水を受ける受水凹部１５（図３参照）の底部には排水部としてフィルタを備えた排水具１７が着脱交換可能に備えられている。
【００１４】
この排水具１７は、前記枠体フレーム７における突出フレーム７Ｔの先端部に備えた接続具１９に上側から嵌合し上方向に離脱可能に構成してある。また、前記便器本体１１における左右の側壁の後側の複数箇所には取付穴２１が形成してあり、この取付穴２１を貫通したボルト等のごとき取付具２３（図４参照）を介して、前記枠体フレーム７の複数箇所に取付けた取付ブラケット２５に対して着脱可能に取付けてある。
【００１５】
上記構成により、便器本体１１に備えた排水具１７を前記接続具１９に上方から嵌合するように、便器本体１１を枠体フレーム７に取付け、前記取付穴２１を貫通した取付具２３を介して、便器本体１１を取付ブラケット２５に対して一体的に固定することができる。すなわち、枠体フレーム７に備えた接続具１９と便器本体１１に備えた排水具１７との接続（嵌合），離脱及び取付具２３による固定，固定の解除を行うことにより、枠体フレーム７に対する便器本体１１の着脱を容易に行うことができるものである。
【００１６】
前記便器本体１１を壁３に設置して男子用水洗トイレ１として使用するとき、前記受水凹部１５の洗浄を行うために、受水凹部１５の上部には、洗浄水噴射ノズル２７が備えられている。そして、前記枠体フレーム７の下部には、洗浄水を貯留するための貯留タンク２９が取付ブラケット（図示省略）を介して取付けてあると共に、前記貯留タンク２９内の洗浄水を前記噴射ノズル２７を供給するためのポンプ３１が取付ブラケットを介して前記枠体フレーム７に取付けてある。また、前記枠体フレーム７における前記突出フレーム７Ｔの下部には、前記接続具１９を下水口３３に接続するための排水トラップ３５が備えられている。
【００１７】
前記貯留タンク２９，ポンプ３１及び排水トラップ３５は、前記枠体フレーム７の下部に取付けてあるものであり、前記便器本体１１を枠体フレーム７に取付けたとき、便器本体１１における受水凹部１５の下側において、便器本体１１の前記空間部１３内に内装されるものである。
【００１８】
そして、前記貯留タンク２９に対して洗浄水として上水道から水を供給するための上水供給手段３７が前記便器本体１１における前記受水凹部１５の左側に位置する左側空間部１３Ｌ（図４参照）内に配置してある。さらに、前記受水凹部１５の右側に位置する右側空間部１３Ｒ内には、前記貯留タンク２９内の洗浄水に添加する浄化液を貯留する薬液タンク３９が配置されている。なお、前記浄化液は、例えば特許文献１に記載されているように、既に知られているので、浄化液についての説明は省略する。前記上水供給手段３７及び前記薬液タンク３９は、前記枠体フレーム７における左右の支柱フレーム７Ｌ，７Ｒにそれぞれ支持されているものである。
【００１９】
さらに、前記便器本体１１の上部にはケーシング４１が配置してあり、このケーシング４１内には、前記壁３に取付けた筐体４３が内装されており、この筐体４３には前記上水供給手段３７へ供給する給水管（図示省略）を開閉する開閉弁（図示省略）が備えられていると共に、男子用水洗トイレ１の使用者を検知するための人体検知センサ４５が備えられている。さらに、前記筐体４３には、水洗トイレ１に備えた前記ポンプ３１などの各種アクチュエータの動作を制御するための制御装置（図示省略）が備えられている。
【００２０】
上記説明より理解されるように、前記便器本体１１における背側の空間部１３，左右の空間部１３Ｌ，１３Ｒ内に配置した例えば貯留タンク２９，ポンプ３１，上水供給手段３７，薬液タンク３９等は枠体フレーム７に装着支持されているものであるから、前述したように、枠体フレーム７に対する便器本体１１の着脱を容易に行うことができるものである。したがって、前記貯留タンク２９，ポンプ３１，上水供給手段３７，薬液タンク３９等の保守点検を容易に行うことができるものである。
【００２１】
また、水洗トイレ１の設置に際しては、前記貯留タンク２９，ポンプ３１，上水供給手段３７，薬液タンク３９などを装着支持した枠体フレーム７における前記引掛フレーム７Ｆを、壁３に備えたフック部５に引掛けた後、前記枠体フレーム７に対して便器本体１１を取付ければよいものであるから、水洗トイレ１の設置を容易に行い得るものである。
【００２２】
前記下水口３３は、図１に示すように、トイレの壁３に設けてある場合と、図５に示すように、トイレの床４７に設けてある場合とがある。そして、壁３に下水口３３を設けた場合であっても、前記下水口３３の高さ位置は、図１に示したＨ１の高さ位置とＨ２の高さ位置との場合がある。また、図５に示すように、床４７に下水口３３を設けた場合においては、壁３からの距離はほぼ一定である場合であっても、便器本体１１の左右方向の中央部から左右方向に偏在することがある。
【００２３】
すなわち、男子用水洗トイレ１には、壁３に設けた下水口３３に対応して便器本体１１を壁３に掛けた形態の壁掛け式と、床４７に設けた下水口３３に対応して便器本体１１を床上に載置する床置式とがある。そこで、前記排水トラップ３５は、壁掛け式及び床置式の両方の水洗トイレに対応可能に構成してある。
【００２４】
より詳細には、前記排水トラップ３５は、図６に示すように構成してある。すなわち、排水トラップ３５は、前記本体フレーム７における突出フレーム７Ｔの先端部に備えた前記接続具１９（図６には図示省略）の下端部に相対的に水平に回動可能に嵌入（嵌合）接続する丸パイプ状の上部嵌合接続部４９Ａを上面一端側に突出して備えた箱形状の接続パイプ４９を備えており、この接続パイプ４９の下面他端側には下部嵌合接続部４９Ｂを下方向に突出して備えられている。
【００２５】
この接続パイプ４９は比較的容量の大きなチャンバーを構成するものであり、かつこの接続パイプ４９には、前記上部嵌合接続部４９Ａの内周面及び前記接続具１９の内面の洗浄を行うために、上方向へ拡散するように洗浄水を噴射する洗浄ノズル５１が備えられている。この洗浄ノズル５１は、前記ポンプ３１から洗浄水の供給を受けて洗浄水を上方向に拡散噴射するものである。
【００２６】
なお、前記ポンプ３１から前記噴射ノズル２７へ洗浄水を供給する供給路と前記洗浄ノズル５１へ洗浄水を供給する供給路は分岐接続してあり、この分岐接続部には、ポンプ３１から送給される洗浄水を噴射ノズル２７側又は洗浄ノズル５１側へ切換え自在な切換弁（図示省略）が備えられている。したがって、噴射ノズル２７から便器本体１１の受水凹部１５へ洗浄水を噴出して受水凹部１５の洗浄を行うことと、前記洗浄ノズル５１から洗浄水を噴射して接続パイプ４９の上部嵌合部４９Ａ内や当該接続パイプ４９内を洗浄することができるものである。
【００２７】
前記接続パイプ４９における前記下部嵌合接続部４９Ｂは、Ｕ字形接続パイプ５３における一方の回動接続部５３Ａに相対的に水平に回動可能に嵌入接続してある。そして、前記Ｕ字形接続パイプ５３の他方の接続部５３Ｂは、第１のＬ形パイプ５５における一方の回転接続部５５Ａに相対的に水平に回動可能に嵌入接続してある。この第１のＬ形パイプ５５の他端部は、前記回転接続部５５Ａに対してほぼ直交する方向であってほぼ水平方向に指向してあり、この他端部に備えた接続部５５Ｂは第２のＬ形パイプ５７の回転接続部５７Ａに相対的に回動可能に嵌入接続してある。上記第２のＬ形パイプ５７における他端側の接続部５７Ｂは、前記回転接続部５７Ａに対してほぼ直交する方向に指向してある。
【００２８】
前記第２のＬ形パイプ５７の前記接続部５７Ｂは、第３のＬ形パイプ５９における一方の回転接続部５９Ａに相対的に回動可能に嵌入接続してある。この第３のＬ形パイプ５９における他端側の接続部５９Ｂは前記回転接続部５９Ａに対してほぼ直交する方向に指向してあって常にほぼ水平方向に指向してある。そして、この第３のＬ形パイプ５９における接続部５９Ｂには、壁３に備えた前記下水口３３に接続する排水パイプ６１が接続してある。なお、前記Ｕ字形接続パイプ５３と前記枠体フレーム７の突出フレーム７Ｔとの間には、排水トラップ３５における前記接続パイプ４９の上部嵌合部４９Ａを前記接続具１９と常に接続した状態に保持するように上方向へ付勢した付勢手段としてのコイルスプリングなどのごとき弾性部材６３が張設介在してある。
【００２９】
上記構成により、接続パイプ４９は、上部嵌合部４９Ａを回転軸として水平に回動することができ、Ｕ字形接続パイプ５３は回動接続部５３Ａを回転軸として水平に回動することができる。また第１のＬ形パイプ５５は回転接続部５５Ａを回転軸として水平に回動することができる。したがって、第１のＬ形パイプ５５の接続部５５Ｂを壁３の壁面に対して接近離反する方向及び壁面に沿っての左右方向（図６において紙面に垂直な方向）に移動することができると共に、上記接続部５５Ｂを、壁３の壁面に対して直交する方向や左右方向に傾斜した水平方向に指向することができるものである。
【００３０】
そして、上記第１のＬ形パイプ５５の前記接続部５５Ｂに回動自在に接続した第２のＬ形パイプ５７における接続部５７Ｂは、当該Ｌ形パイプ５７の回転接続部５７Ａを回転軸として上下に回動することにより上下方向に高さ位置を調節することができると共に、接続部５７Ｂを上下方向に指向することや回転接続部５７Ａの回転軸に対して直交する方向に水平に指向することができる。したがって、当該Ｌ形パイプ５７の接続部５７Ｂに回動自在に接続した第３のＬ形パイプ５９の高さ位置を調節することができるものである。そして、第３のＬ形パイプ５９における回転接続部５９Ａを回転軸として当該Ｌ形パイプ５９を回動することにより、当該Ｌ形パイプ５９の接続部５９Ｂに接続した排水パイプ６１を壁３の壁面に対して直交するように水平姿勢に調節することができるものである。
【００３１】
すなわち、前述したように、接続パイプ４９，Ｕ字形接続パイプ５３，第１，２，３のＬ形パイプ５５，５７，５９のそれぞれの接続部をそれぞれ適宜に回動することにより、接続パイプ４９における上部嵌合部４９Ａの位置を一定位置に保持した状態において排水パイプ６１の高さ位置及び枠体フレーム７の左右方向の中心位置に対する左右方向への偏在位置を調節することができるものである。したがって、図１に示すように、水洗トイレ１を壁掛け式として設置するとき、壁３に備えた下水口３３の位置に対して排水パイプ６１の高さ位置を高さＨ１〜Ｈ２の間で調節することができ、下水口３３の高さ位置に容易に対応することができるものである。
【００３２】
前記構成において、前記排水トラップ３５から第３のＬ形パイプ５９を取り外し、このＬ形パイプ５９に代えて第２のＬ形パイプ５７における接続部５７Ｂに排水パイプ６１を接続すると、排水パイプ６１は、図９に示すように垂直な状態となる。そして、前述したように接続パイプ４９，Ｕ字形接続パイプ５３及び第１のＬ形パイプ５５をそれぞれ水平に適宜に回動することにより、接続パイプ４９における上部嵌合接続部４９Ａを一定位置に保持して垂直状態の前記排水パイプ６１の水平位置を調節することができるものである。したがって、図５に示すように、水洗トイレ１を床置式として設置するとき、床４７に備えた下水口３３の位置に対応して前記排水パイプ６１の位置決めを容易に行うことができるものである。
【００３３】
なお、水洗トイレ１を床置式として設置するときには、前記第１，２のＬ型パイプ５５，５７を一体化して逆Ｕ字形の接続パイプとすることも可能である。
【００３４】
上記説明より理解されるように、前記構成の排水トラップ３５を採用することにより、１個の水洗トイレ１であっても壁掛け式や床置式に容易に対応し得るものである。よって、壁掛け式と床置式とに形式が異なる場合であっても水洗トイレ１は共用することができるものであり、製造コストの低減化を図ることができると共に生産性の向上を図ることができるものである。また、前記構成においては、接続パイプ４９は容量が比較的大きなチャンバーに構成してあるので、Ｕ字形接続パイプ５３内から汚水等の逆流があるような場合であっても、接続パイプ４９はバッファーとして機能するものである。したがって、汚水が受水凹部１５や貯留タンク２９等へ逆流することを防止することができるものである。
【００３５】
前記特許文献等において既に知られているように、洗浄水を循環して洗浄水に再使用する場合、小水は下水口３３側へ排出し、受水凹部１５に付着した小水を洗浄することが行われている。そして、上記洗浄水を貯留タンク２９に貯留して再使用するものである。したがって、前記接続具１９には、小水及び洗浄水の流出方向を切換えるための切換弁が備えられている。
【００３６】
より詳細には、図１０に示すように、前記便器本体（水洗便器）１１に備えたパイプ状の前記排水具１７の下端側に嵌合離脱可能に接続した前記接続具１９には、前記排水具１７に下端部を嵌入接続するための嵌合接続部１９Ａを上部側に備えた構成であり、この嵌合接続部１９Ａの上端部には、前記枠体フレーム７における突出フレーム７Ｔに支持されるフランジ部１９Ｆを備えている。
【００３７】
上記嵌合接続部１９Ａの下部側は下側が小径となるテーパ部１９Ｔに形成してあり、このテーパ部１９Ｔの底部には、前記排水トラップ３５における接続パイプ４９の上部嵌合接続部４９Ａに嵌入接続する接続部１９Ｂを下方向へ突出して備えている。そして、上下の接続部１９Ａ，１９Ｂの間に備えた排水路１９Ｃには、洗浄水を前記貯留タンク２９へ導くための分岐接続路１９Ｄが分岐接続してある。この分岐接続路１９Ｄの径は前記排水路１９Ｃの約１／２の小径に形成してある。
【００３８】
前記排水路１９Ｃと前記分岐接続路１９Ｄとの接続部であって前記分岐接続路１９Ｄの入口の上部には、前記排水路１９Ｃのほぼ中心位置にまで先端部が突出した突出壁部１９Ｅが備えられている。そして、前記分岐接続路１９Ｄの入口に対応した位置で前記突出壁部１９Ｅの先端部付近の下方位置には、円板状の切換弁６５が回転自在に備えられている。上記切換弁６５は、前記突出壁部１９Ｅの突出方向（図１０において左右方向）に対して直交する方向であって前記排水路１９Ｃの中心部を水平に貫通した回転軸６７に一体的に取付けてある。
【００３９】
前記回転軸６７は、例えばロータリーソレノイドなどのごとき適宜のロータリーアクチュエータ６９（図１参照）によって一方向（図１０において時計回り方向）に回動されるものである。そして、前記切換弁６５が前記突出壁部１９Ｅの先端部下面に接触してほぼ垂直状態になったときには、前記排水具１７側から流入した小水を前記排水トラップ３５側へ誘導する構成であり、前記切換弁６５が前記分岐接続路１９Ｄの入口の下部縁に接触したときには、図１０に示すように、分岐接続路１９Ｄ側が低くなるように傾斜して、前記排水具１７側から流入した洗浄水を、分岐接続路１９Ｄ側へ誘導し、前記貯留タンク２９へ流入する構成である。
【００４０】
上記構成より明らかなように、分岐接続路１９Ｄの入口における上部には、排水路１９Ｃのほぼ中央部まで先端部が突出した突出壁部１９Ｅを備えているので、小水を排水トラップ３５側へ誘導排出するとき、前記排水路１９Ｃ内において前記分岐接続路１９Ｄの入口から離れた内周面側へ誘導されて排出されるので、また小水の排出時には、切換弁６５の下部が前記分岐接続路１９Ｄの入口よりも下側に配置されるので、前記分岐接続路１９Ｄ内へ小水の一部が入り込むようなことがないものである。また、前記構成においては、切換弁６５が図１０において時計回り方向に回転し、当該切換弁６５が分岐接続路１９Ｄの入口の下部線に接触するまでは、上記入口と切換弁６５との間に段差部があり、分岐接続路１９Ｄ側への小水等の流入が抑制されるものである。
【００４１】
したがって、小水の一部が貯留タンク２９内へ入り込む場合に比較して洗浄水の汚染速度を抑制することができるものである。よって、洗浄水の再利用回数をより多くすることができると共に前記薬液タンク３９からの浄化液の供給量をより少なくすることができるものである。
【００４２】
上記説明より理解されるように、前記接続具１９，貯留タンク２９及びポンプ３１等は、受水凹部１５の内面を洗浄した洗浄水を循環使用する循環システムを構成するものであって、枠体クレーム７に取付けてあるものである。そして、前述したように、前記受水凹部１５を備えた便器本体１１は枠体クレーム７に対して着脱可能であるから、前記循環システムの保守点検を容易に行い得るものである。
【００４３】
前述のごとく洗浄水を貯留タンク２９に貯留して再利用することを繰り返すと、貯留タンク２９の内面にぬめりが付着することがあるので、貯留タンク２９の内面の清掃を行うことが望ましいものである。そこで、前記貯留タンク２９内には、内面清掃手段が備えられている。
【００４４】
より詳細には、図１１に示すように、貯留タンク２９の上面に着脱自在な蓋部材７１には、前記上水供給手段３７から新しい洗浄水の供給を受けるための受水管８３が取付けてある。そして、この受水管８３の出口８３Ａに近接した位置には、適宜位置に備えた小型モータ等の回転用アクチュエータ（回転駆動手段）７５によってタイミングベルト７７等を介して回転駆動される回転軸７９が前記蓋部材７１を貫通して垂直にかつ回転自在に備えられている。そして、前記回転軸７９には、前記出口８３Ａから貯留タンク２９内に流下する洗浄水を周囲に勢いよく弾き飛ばして、水滴を貯留タンク２９の内面へ投擲（放擲）する回転羽などのごとき回転体８１が取付けてある。
【００４５】
したがって、前記貯留タンク２９の内面を清掃するために、貯留タンク２９内の洗浄水を排出してほぼ空の状態とした後、前記受水管８３の出口８３Ａから貯留タンク２９内へ新しい洗浄水を流下するとき、回転用アクチュエータ７５を駆動して回転体８１を回転すると、出口８３Ａから流下する洗浄水が回転体８１によって周囲に勢いよく弾き飛ばされて、貯留タンク２９の内面に水滴が衝突される。よって、水滴が貯留タンク２９の内面に激しく当接するときに、内面に付着したぬめり等が除去されて清掃されることになる。したがって、貯留タンク２９の内面にぬめり等が付着することによる悪臭等の発生を防止することができるものである。
【００４６】
なお、前記回転体８１の構成としては、図１２に示すように、適宜形状，構成の羽根の構成や、回転体の回転による遠心力によって周囲に洗浄水が放出（放射）される構成とすることも可能である。この場合、回転体を放射方向に長いパイプ又は樋状の構成とし、回転軸７９に近接した内端側の上部に洗浄水の流入口を備え、外端側の先端側に放出口を備えた構成とすることも可能である。すなわち回転体８１の構成は種々の構成を採用することができるものである。
【００４７】
ところで、初期状態や貯留タンク２９内の洗浄水が減少したときには、前記上水供給手段３７から新しい洗浄水を前記貯留タンク２９へ供給するものである。この際、前記貯留タンク２９内には、便器本体１１の受水凹部１５を洗浄した後の洗浄水が貯留されるものであるから、断水や何らかの不都合が生じた場合であっても、貯留タンク２９内の洗浄水が上水供給手段３７側へ逆流することは確実に防止する必要がある。
【００４８】
そこで、図１３に示すように、本例においては、前記貯留タンク２９の上部に備えた前記受水管８３と前記上水供給手段３７に備えた上水用の供給ノズル８５は上下方向に大きく離隔してあり、この供給ノズル８５と前記受水管８３との間には、下端部に小径の開口部８７Ａを備えたサブタンク８７が配置してある。そして、前記受水管８３とサブタンク８７は空間部を間にして離隔してあり、前記供給ノズル８５とサブタンク８７は空間部を介して離隔してある。
【００４９】
したがって、前記供給ノズル８５から供給される新しい洗浄水としての上水は前記サブタンク８７内に一時的に保持され、このサブタンク８７の下端部に備えた前記開口部８７Ａから自重によって水が流出することによって前記受水管８３へ供給されるものである。よって、前記貯留タンク２９内から洗浄水が万一逆流するような場合には、前記受水管８３の上部から外部に流出するようなことがあっても前記サブタンク８７内へ逆流するようなことはないものである。
【図面の簡単な説明】
【００５０】
【図１】本発明の実施形態に係る男子用水洗トイレの構成を概略的に示す側断面説明図である。
【図２】本発明の実施形態に係る男子用水洗トイレの構成を概略的に示す正断面説明図である。
【図３】トイレの壁に対して便器本体を着脱する構成を概略的に示す側面説明図である。
【図４】トイレの壁に対して便器本体を着脱する構成を概略的に示す平面説明図である。
【図５】図１に示した構成において床置式の場合を概略的に示す説明図である。
【図６】排水トラップの構成を示す側面説明図である。
【図７】排水トラップの構成を示す平面説明図である。
【図８】排水トラップの構成を示す平面説明図である。
【図９】排水トラップの構成を示す正面説明図である。
【図１０】接続具の構成を示す説明図である。
【図１１】貯留タンクの内部構成を示す説明図である。
【図１２】回転体の変形例を示す説明図である。
【図１３】上水供給手段の構成を示す説明図である。
【符号の説明】
【００５１】
１    男子用水洗トイレ
３    壁
５    フック部
７    枠体フレーム
７Ｃ    連結フレーム
７Ｆ    引掛けフレーム
７Ｌ，７Ｒ    支柱フレーム
７Ｔ    突出フレーム
１１    便器本体（水洗便器）
１３    空間部
１３Ｌ    左側空間部
１３Ｒ    右側空間部
１５    受水凹部
１７    排水具
１９    接続具
１９Ａ    嵌合接続部
１９Ｂ    接続部
１９Ｃ    排水路
１９Ｄ    分岐接続路
１９Ｅ    突出壁部
２７    洗浄水噴射ノズル
２９    貯留タンク
３１    ポンプ
３３    下水口
３５    排水トラップ
３７    上水供給手段
３９    薬液タンク
４７    床
４９    接続パイプ
４９Ａ    上部嵌合接続部
４９Ｂ    下部嵌合接続部
５１    洗浄ノズル
５３    Ｕ字形接続パイプ
５５    第１のＬ形パイプ
５７    第２のＬ形パイプ
５９    第３のＬ形パイプ
６１    排水パイプ
６３    弾性部材（付勢手段）
６５    切換弁
６７，７９    回転軸
７１    蓋部材
７５    回転用アクチュエータ（回転駆動手段）
８１    回転体（回転羽）
８３    受水管
８５    供給ノズル
８７    サブタンク
【図１】
2010138548.tif 000003
【図２】
2010138548.tif 000004
【図３】
2010138548.tif 000005
【図４】
2010138548.tif 000006
【図５】
2010138548.tif 000007
【図６】
2010138548.tif 000008
【図７】
2010138548.tif 000009
【図８】
2010138548.tif 000010
【図９】
2010138548.tif 000011
【図１０】
2010138548.tif 000012
【図１１】
2010138548.tif 000013
【図１２】
2010138548.tif 000014
【図１３】
2010138548.tif 000015